(57)【要約】      （修正有）【課題】環境に応じた高さに取りつける事ができ、そのつど作業場所の配置換えする事なく、新たに作業スペースを確保する事ができる折りたたみテーブルを提供する。【解決手段】支持体に固定板を取り付け、この固定板に天板を回転自在に支持し、取り付けられた天板を水平状態に保つ為、その間に止め板とアームバーとでストッパー機構を設け、開閉自在にした。【選択図】図１
0003157743.tif 000002
【実用新案登録請求の範囲】
【請求項１】
支持体に固定板を取り付け、この固定板に天板を回転自在に支持し、取り付けられた天板を水平状態に保つ為、その間に止め板とアームバーとでストッパー機構を設けた事を特徴とする折りたたみテーブル。
【請求項２】
鉛直状態を保つように、天板にロックピンを設け、ロック機構を形成した請求項１記載の折りたたみテーブル。
【請求項３】
折りたたみテーブル内の、開口部にコンセントなどの付属部品を取り付け、電源やPCとの通信を行う機構を形成した請求書１の折りたたみテーブル。
【考案の詳細な説明】
【技術分野】
【０００１】
本考案は、支持体に取り付けて、各種作業を行う為の作業用折りたたみテーブルに関するものである。
【背景技術】
【０００２】
従来の折りたたみテーブルは、床などに置いて使用するものはあったが、支持体に設置し使用する折りたたみテーブルはなかった。
【０００３】
以下、図６より従来の折りたたみテーブルについて説明する。図において、折りたたみテーブルは床など下面に対して左右に脚を設け、両脚でテーブルを支えるようにして、床などの下面に対して平行状態に置くもので、テーブルにより高さは決まっていた。そのため作業環境に応じて自由に高さを調節する事が出来なかった。
【先行技術文献】
【特許文献】
【０００４】
【特許文献１】特開２００８−２３２８４
【考案の概要】
【考案が解決しようとする課題】
【０００５】
従来、作業テーブルを使用する為には、そのつど必要に応じてテーブルを用意するか、必要な場所にテーブルを設置して、使用しない時においてもテーブルの置き場を確保しなければならなかった。
【０００６】
本考案は、このような従来の構成が有していた問題を解決するものであり、支持体を用いて、新たに作業スペースを確保し、作業用折りたたみテーブルを実現することを目的とするものである。
【課題を解決するための手段】
【０００７】
そして、本考案は上記目的を達成するために、支持体に取り付け可能にした、固定板と天板とが回転自在に支持され、取り付けられたテーブルを水平状態に保つ為に、固定板と天板との間に止め板とアームバーとでストッパー機構を設けたものである。
【考案の効果】
【０００８】
この考案によれば、工場などの限られた狭い作業環境において、テーブルを必要とする作業場所の支持体に、テーブルを取り付ける事により、その環境に応じた高さに取りつける事ができ、そのつど作業場所の配置換えする事なく、新たに作業スペースを確保する事ができる。これにより、従来使用していた作業テーブルなどの運搬作業の負担をなくす事ができ、その場に適した作業環境をつくり出す事ができる。また、固定板の中央部に開口スペースを設けたことにより、制御盤などの支持体に取り付けた折りたたみテーブル内に、コンセントなどの付属部品を取り付けることが可能となり、さらにスペースを生かして、電源確保などの効率を上げることができる。
【図面の簡単な説明】
【０００９】
【図１】考案の実施形態を示す折りたたみテーブルの右側面図
【図２】同折りたたみテーブルの斜視図
【図３】同折りたたみテーブルの裏面図
【図４】同折りたたみテーブルの開閉動作図
【図５】同折りたたみテーブル開口部分の使用参考例図
【図６】従来の折りたたみテーブル図
【考案を実施するための形態】
【００１０】
以下、考案の実施の形態を図１〜図６に基づいて説明する。
【００１１】
図３において、固定板１は、中央部分に開口部があり、コンセントなどを取り付けた際に、干渉しないようになっている。四方には支持体に取り付けられる穴が各１ヵ所開いており、その穴を使用してねじで支持体に取り付けられる構造になっている。固定板１と天板２の取り付け穴に保持手段６を用いて、取り付け連結してある。その取り付け部分を回転自在に支持し備えたものである。  
【００１２】
天板２は、正方形のテーブルで前方正面の中央部分には、テーブルの開閉の動作時に手が挟まれないようにスペースが開いている。その部分を手で持ち、開閉動作を行う。右側面部分にはロックピン５の取り付け穴が開いて、ロックピン５が取り付けてある。天板２の裏部分には天板支持手段７が取り付けられおり、天板２とアームバー４を連結できる穴が左右に一カ所開いている。その穴を利用して、保持手段６を用いて取り付け連結し、回転自在に支持し備えたものである。
【００１３】
止め板３は、中央に固定板１と同じ大きさの開口部があり、コンセントなどを取り付けた際に、干渉しないようになっている。下方の左右には1カ所の穴があり、その穴を利用して、固定板１の左右下部に取り付けてある支持手段を用いて取り付け、連結し回転自在に支持している。図１のように、アームバー４の長穴部分と止め板３とを保持手段６を用いて図４のように屈伸自在に支持し備えたものである。  
【００１４】
アームバー４は、左右の物が対称になっていて、下方部分にある長穴に保持手段６を用いて、止め板３を取り付け連結させる。図１の止め板３とアームバー５の間にある保持手段６の箇所が、図４のように屈伸自在に支持してある。アームバー５の上部部分の穴と天板２の穴に天板保持手段７を用いて回転自在に支持し備えたものである。
【００１５】
ロックピン５は、天板２の右側面の穴とロックピン支持手段９を用いて構成される。天板２とロックピン支持手段９との間にバネ１０が入っており、バネの伸び縮みの性質を利用する事により、閉じた状態が固定される形状になっている。天板２と固定板１とをロックする時には、テーブルが閉じた状態でロックピン５を手前に引きもどす事により、開閉保持手段８にロックピン５がひっかかり閉じた状態でロックし、閉じた状態に保たれる。天板２と固定板１とのロックを解除するには、ロックピン５を引きながら、天板２の中央部分を持ち上方に引き上げる事により、天板２と固定板１とのロックを解除できる機能を備えたものである。
【符号の説明】
【００１６】
１天板  
２ロックピン  
３固定板  
４止め板  
５アームバー
６保持手段
７天板保持手段
８開閉保持手段
９ロックピン支持手段
１０バネ
【図１】
0003157743.tif 000003
【図２】
0003157743.tif 000004
【図３】
0003157743.tif 000005
【図４】
0003157743.tif 000006
【図５】
0003157743.tif 000007
【図６】
0003157743.tif 000008
【手続補正書】
【提出日】平成21年12月18日(2009.12.18)
【手続補正１】
【補正対象書類名】実用新案登録請求の範囲
【補正対象項目名】請求項３
【補正方法】変更
【補正の内容】
【請求項３】
折りたたみテーブル内の、開口部にコンセントなどの付属部品を取り付け、電源やＰＣとの通信を行う機構を形成した請求項１の折りたたみテーブル。
【手続補正２】
【補正対象書類名】図面
【補正対象項目名】図５
【補正方法】変更
【補正の内容】
【図５】
0003157743.tif 000009